(57)【要約】【課題】本発明の課題は、工事現場等の電線端に使用して便利であり、感電防止と導体間の短絡の防止が可能な絶縁電線や電気ケーブルにも使用できる電線端絶縁カバーを提供することである。【解決手段】電線又は電気ケーブルを挿入する電気絶縁性の筒状体又は袋状体の電線端絶縁カバー、又は、電線または電気ケーブルの各電線間を収納する収納筒部を前記電線の数以上の個数だけ有する電気絶縁性の電線受具と、電線または電気ケーブルを押え、前記電線受具と噛み合ってカバーする電気絶縁性の覆い具を有した電線端絶縁カバーである。【選択図】図１
2010027254.tif 000002
【特許請求の範囲】
【請求項１】
一方の端は、電線又は電気ケーブルを挿入するための開状態にあり、他方の端は閉状態にある電気絶縁性の筒状体又は袋状体の内側に、且つ前記開状態端と前記閉状態端の間に、前記電線又は電気ケーブルの絶縁被覆部に押し付けることで噛み合うピン状突起又はギザギザ面の電線被覆噛合部を有し、前記電線被覆噛合部を含む前記開状態端側は、前記閉状態端に対して、押し圧により屈曲するようになしたことを特徴とする電線端絶縁カバー。
【請求項２】
前記筒状体又は袋状体が、屈曲変形が容易且つ自己復元しない芯部と前記芯部を被覆する電気絶縁性の被覆体を有することを特徴とする請求項１記載の電線端絶縁カバー。
【請求項３】
前記芯部は金属からなり、前記被覆体はゴム又は合成樹脂からなることを特徴とする請求項２記載の電線端絶縁カバー。
【請求項４】
前記筒状体又は袋状体は、屈曲変形が容易なゴム又は合成樹脂で作られ、
電線被覆噛合部は、金属又は硬性合成樹脂で作られていることを特徴とする請求項１記載の電線端絶縁カバー。
【請求項５】
一方の端は、電線又は電気ケーブルを挿入するための開状態にあり、他方の端は閉状態にある電気絶縁性の筒状体又は袋状体の開状態端に、前記開状態端の開口部を広げる外力を加える取っ手を有し、前記外力を無くすと前記開口部が閉じて前記電線又は電気ケーブルを締め付けるための弾性部を前記閉状態端に有することを特徴とする電線端絶縁カバー。
【請求項６】
一方の端は、電線又は電気ケーブルを挿入するための開状態にあり、他方の端は閉状態にある電気絶縁性の筒状体又は袋状体の開状態端に、前記開状態端の開口部を広げる鋏を有し、前記はさみに加える外力を無くすと前記開口部が閉じて前記電線又は電気ケーブルを締め付けるための弾性部を前記閉状態端または、前記鋏に有することを特徴とする電線端絶縁カバー。
【請求項７】
前記開状態端と前記閉状態端の間に、前記電線又は電気ケーブルの絶縁被覆部に押し付けることで噛み合うピン状突起又はギザギザ面の電線被覆噛合部を有することを特徴とする請求項５又は請求項６に記載の電線端絶縁カバー。
【請求項８】
前記筒状体又は袋状体の内側形状を、前記電線または電気ケーブルを挿入且つ、噛み合いを容易にするため前記電線または電気ケーブルの外形形状に合わせたことを特徴とする請求項１から請求項７記載の電線端絶縁カバー。
【請求項９】
前記電線被覆噛合部と前記開状態端との距離を感電防止のための沿面距離以上にしたことを特徴とする請求項１から請求項４、請求項７、請求項８のいずれか１つに記載の電線端絶縁カバー。
【請求項１０】
前記筒状体又は袋状体を透明体とし、挿入された電線又は電気ケーブルの電線被覆部先端が視認できるようにしたこと、又は、挿入された電線又は電気ケーブルの電線被覆部先端が視認できるようにしたこと且つ前記筒状体又は袋状体の前記開状態端と前記閉状態端の間に視認マーカーを付し、前記視認マーカー位置と電線被覆部先端との相対位置を視認できるようにしたことにより、挿入状態を確認できるようにしたことを特徴とする請求項１から請求項９のいずれか１つに記載の電線端絶縁カバー。
【請求項１１】
前記筒状体又は袋状体の前記開状態端に前記電線又は電気ケーブルに巻きつけるための貼り付け用テープを備えたことを特徴とする請求項１から請求項１０のいずれか１つに記載の電線端絶縁カバー。
【請求項１２】
カプセルまたは袋に複数個を閉じたことを特徴とする請求項１から請求項１１のいずれか１つに記載の電線端絶縁カバー。
【請求項１３】
電線又は電気ケーブルに付設した請求項１から請求項４、請求項９から請求項１１のいずれか１つに記載の電線端絶縁カバーを押しつぶすためのはさみ面を有するはさみ部と前記はさみ部を回転支点のまわりに動かすハンドルを有することを特徴とする電線端絶縁カバー押しつぶし用はさみ治具。
【請求項１４】
電線または電気ケーブルの各電線間を収納する収納筒部を前記電線の数以上の個数だけ有する電気絶縁性の電線受具と、電線または電気ケーブルを押え、前記電線受具と噛み合ってカバーする電気絶縁性の覆い具を有し、前記電線受具の前記収納筒部は、前記電線を挿入する開口部と前記電線を覆い収納する閉空間部を有し、前記電線受具には、
前記覆い具と噛み合う覆い受具を有することを特徴とする電線端絶縁カバー。
【請求項１５】
前記電線または電気ケーブルの各電線の長さの不揃いによる各電線の前記収納筒部への挿入の非容易性を無くすためであって、前記収納筒部には、前記開口部の穴の外側側面に切欠部を有していることを特徴する請求項１４記載の電線端絶縁カバー。
【請求項１６】
前記覆い受け具と前記覆い具が有する前記覆い受け具との結合部との間に
水の浸入を防止するパッキンを有することを特徴とする請求項１４又は請求項１５記載の電線端絶縁カバー。
【請求項１７】
前記覆い具の前記電線または電気ケーブルを押えるための固定部は、前記電線または電気ケーブルのサイズに対応する異径調節具を有することを特徴する請求項１４から請求項１６のいずれか１つに記載の電線端絶縁カバー。
【請求項１８】
前記電線受具の収納筒の前記閉空間部の長さは、感電防止又は前記電線間の短絡防止のための電気絶縁の沿面距離が確保されていることを特徴とする請求項１４から請求項１７のいずれか１つに記載の電線端絶縁カバー。
【発明の詳細な説明】
【技術分野】
【０００１】
本発明は、工事現場等に使用する絶縁電線や電気ケーブルの端の導体部を簡単にカバーし、感電の防止、導体間の短絡の防止をする電線端絶縁カバーに関するものである。
【背景技術】
【０００２】
図７は、絶縁電線と電気ケーブルの例を示す図である。絶縁電線や電気ケーブルは、絶縁電線は、導体をビニル等の絶縁被覆で覆ったものであり、電気ケーブルは、導体を絶縁被覆した絶縁電線を複数束ね、これをさらに絶縁被覆したものである。これらは、工事現場等で使用され、これらの端の感電防止、導体間の短絡防止のために、簡易には絶縁テープを巻いてカバーを行っていた。又、絶縁電線と電気ケーブル以外に、自動車内の配線用のハーネスを対象にした端末処理用のカバーもある。図5は、従来の電線端末用のカバーの例を示す図である。５−Ａに示すカバー１は、特許文献１で提案されているもので、絶縁物等で作られていて、折まくられた部分３を有し、導体４に付設した後は、折まくられた部分３を伸ばして使用するものである。収縮性のよいゴム等で作る必要があり、各種のサイズ対応も必要になるのでサイズの自由度が少ない不都合がある。５−Ｂに示すカバーは、ハーネスに使用するもので、特許文献２に開示されていて、開口部から先端の導体をよじったハーネスの複数電線を挿入すると、電線間にリブ３７が均等に入り、電線間を広げるので、電線が膨張しカバー壁面に押し付けられ固定されるもので、リブは、電線の挿入する長手方向に延設されている。太い電線からなる電気ケーブルや絶縁電線には不向きである。５−Ｃに示すカバーは、ハーネスに使用するもので、特許文献３に開示されていて、ハーネス５０１を収納する箱体と蓋があり、箱体には、ストッパ片があり、複数の電線間に入って、電線を固定する役目をしている。これもハーネスには向くが、電気ケーブルや絶縁電線には不向きである。
【特許文献１】特開２００４−４８８８２
【特許文献２】特開平０７−２８２８６３
【特許文献３】特開平０７−８５９０７
【発明の開示】
【発明が解決しようとする課題】
【０００３】
本発明の課題は、工事現場等の電線端に使用して便利であり、感電防止と導体間の短絡の防止が可能な絶縁電線や電気ケーブルにも使用できる電線端絶縁カバーを提供することである。
【課題を解決するための手段】
【０００４】
本発明は、１つ目は、電線又は電気ケーブルを挿入する電気絶縁性の筒状体又は袋状体の電線端絶縁カバーであり、２つ目は、電線または電気ケーブルの各電線間を収納する収納筒部を前記電線の数以上の個数だけ有する電気絶縁性の電線受具と、電線または電気ケーブルを押え、前記電線受具と噛み合ってカバーする電気絶縁性の覆い具を有した電線端絶縁カバーであることを特徴としている。以下説明する。
【０００５】
請求項１記載の発明は、電線端絶縁カバーであって、一方の端は、電線又は電気ケーブルを挿入するための開状態にあり、他方の端は閉状態にある電気絶縁性の筒状体又は袋状体の内側に、且つ前記開状態端と前記閉状態端の間に、前記電線又は電気ケーブルの絶縁被覆部に押し付けることで噛み合うピン状突起又はギザギザ面の電線被覆噛合部を有し、前記電線被覆噛合部を含む前記開状態端側は、前記閉状態端に対して、押し圧により屈曲するようになしたことを特徴とする。
【０００６】
請求項２記載の発明は、請求項１記載の電線端絶縁カバーにおいて、前記筒状体又は袋状体が、屈曲変形が容易且つ自己復元しない芯部と前記芯部を被覆する電気絶縁性の被覆体を有することを特徴とする。
【０００７】
請求項３記載の発明は、請求項２記載の電線端絶縁カバーにおいて、前記芯部は金属からなり、前記被覆体はゴム又は合成樹脂からなることを特徴とする。
【０００８】
請求項４記載の発明は、請求項１記載の電線端絶縁カバーにおいて、前記筒状体又は袋状体は、屈曲変形が容易なゴム又は合成樹脂で作られ、電線被覆噛合部は、金属又は硬性合成樹脂で作られていることを特徴とする。
【０００９】
請求項５記載の発明は、電線端絶縁カバーであって、一方の端は、電線又は電気ケーブルを挿入するための開状態にあり、他方の端は閉状態にある電気絶縁性の筒状体又は袋状体の開状態端に、前記開状態端の開口部を広げる外力を加える取っ手を有し、前記外力を無くすと前記開口部が閉じて前記電線又は電気ケーブルを締め付けるための弾性部を前記閉状態端に有することを特徴とする。
【００１０】
請求項６記載の発明は、電線端絶縁カバーであって、一方の端は、電線又は電気ケーブルを挿入するための開状態にあり、他方の端は閉状態にある電気絶縁性の筒状体又は袋状体の開状態端に、前記開状態端の開口部を広げる鋏を有し、前記はさみに加える外力を無くすと前記開口部が閉じて前記電線又は電気ケーブルを締め付けるための弾性部を前記閉状態端または、前記鋏に有することを特徴とする。
【００１１】
請求項７記載の発明は、請求項５又は請求項６に記載の電線端絶縁カバーにおいて、前記開状態端と前記閉状態端の間に、前記電線又は電気ケーブルの絶縁被覆部に押し付けることで噛み合うピン状突起又はギザギザ面の電線被覆噛合部を有することを特徴とする。
【００１２】
請求項８記載の発明は、請求項１から請求項７記載の電線端絶縁カバーにおいて、前記筒状体又は袋状体の内側形状を、前記電線または電気ケーブルを挿入且つ、噛み合いを容易にするため前記電線または電気ケーブルの外形形状に合わせたことを特徴とする。
【００１３】
請求項９記載の発明は、請求項１から請求項４、請求項７、請求項８のいずれか１つに記載の電線端絶縁カバーにおいて、前記電線被覆噛合部と前記開状態端との距離を感電防止のための沿面距離以上にしたことを特徴とする。
【００１４】
請求項１０記載の発明は、請求項１から請求項９のいずれか１つに記載の電線端絶縁カバーにおいて、前記筒状体又は袋状体を透明体とし、挿入された電線又は電気ケーブルの電線被覆部先端が視認できるようにしたこと、又は、挿入された電線又は電気ケーブルの電線被覆部先端が視認できるようにしたこと且つ前記筒状体又は袋状体の前記開状態端と前記閉状態端の間に視認マーカーを付し、前記視認マーカー位置と電線被覆部先端との相対位置を視認できるようにしたことにより、挿入状態を確認できるようにしたことを特徴とする。
【００１５】
請求項１１記載の発明は、請求項１から請求項１０のいずれか１つに記載の電線端絶縁カバーにおいて、前記筒状体又は袋状体の前記開状態端に前記電線又は電気ケーブルに巻きつけるための貼り付け用テープを備えたことを特徴とする。
【００１６】
請求項１２記載の発明は、請求項１から請求項１１のいずれか１つに記載の電線端絶縁カバーにおいて、カプセルまたは袋に複数個を閉じたことを特徴とする。
【００１７】
請求項１３記載の発明は、電線又は電気ケーブルに付設した請求項１から請求項４、請求項９から請求項１１のいずれか１つに記載の電線端絶縁カバーを押しつぶすための電線端絶縁カバー押しつぶし用はさみ治具であって、はさみ面を有するはさみと前記はさみを回転支点のまわりに動かすハンドルを有することを特徴とする。
【００１８】
請求項１４記載の発明は、電線端絶縁カバーであって、電線または電気ケーブルの各電線間を収納する収納筒部を前記電線の数以上の個数だけ有する電気絶縁性の電線受具と、電線または電気ケーブルを押え、前記電線受具と噛み合ってカバーする電気絶縁性の覆い具を有し、前記電線受具の前記収納筒部は、前記電線を挿入する開口部と前記電線を覆い収納する閉空間部を有し、前記電線受具には、前記覆い具と噛み合う覆い受具を有することを特徴とする。
【００１９】
請求項１５記載の発明は、請求項１４記載の電線端絶縁カバーにおいて、前記電線または電気ケーブルの各電線の長さの不揃いによる各電線の前記収納筒部への挿入の非容易性を無くすためであって、前記収納筒部には、前記開口部の穴の外側側面に切欠部を有していることを特徴する。
【００２０】
請求項１６記載の発明は、請求項１４又は請求項１５記載の電線端絶縁カバーにおいて、前記覆い受け具と前記覆い具が有する前記覆い受け具との結合部との間に水の浸入を防止するパッキンを有することを特徴とする。
【００２１】
請求項１７記載の発明は、請求項１４から請求項１６のいずれか１つに記載の電線端絶縁カバーにおいて、前記覆い具の前記電線または電気ケーブルを押えるための固定部は、前記電線または電気ケーブルのサイズに対応する異径調節具を有することを特徴する。
【００２２】
請求項１８記載の発明は、請求項１４から請求項１７のいずれか１つに記載の電線端絶縁カバーにおいて、前記電線受具の収納筒の前記閉空間部の長さは、感電防止又は前記電線間の短絡防止のための電気絶縁の沿面距離が確保されていることを特徴とする。
【発明の効果】
【００２３】
以上の様に構成されているので、本発明の電線端絶縁カバーでは、テープを巻くなどの面倒も無く、電線又は電気ケーブルが簡単にカバーでき、各電線間の電気絶縁と感電防止を確保できる。
【発明を実施するための最良の形態】
【００２４】
発明を実施するための最良の形態として、電線又は電気ケーブルを挿入する電気絶縁性の筒状体又は袋状体の電線端絶縁カバーと、電線または電気ケーブルの各電線間を収納する収納筒部を前記電線の数以上の個数だけ有する電気絶縁性の電線受具と、電線または電気ケーブルを押え、前記電線受具と噛み合ってカバーする電気絶縁性の覆い具を有した電線端絶縁カバーとを、以下に実施態様をもって説明する。
【００２５】
図１は、本発明にかかる電線端絶縁カバーの一実施態様を示す図である。１−Ａにおいて、電線端絶縁カバー１００は、電気絶縁体であるカバー部１０１と電線を挿入する開口部１０２を有する開口先端部１０３を有し、開口先端部１０３又は／及びカバー部１０１には、電線の絶縁被覆部に押し付けることで噛み合うピン状突起又はギザギザ面の電線被覆噛合部１０４を有している。更にカバー部１０１と開口先端部１０３との間又は、開口先端部１０３自体は、押し圧により屈曲するようになっていて、電線の絶縁被覆部に電線被覆噛合部１０４が効果的に噛み合い、電線に電線端絶縁カバー１００が保持されるようになっている。
１−Ｂは、電線端絶縁カバー１００が、金属のように屈曲が容易な素材で芯部１０５が構成され、芯部１０５を被覆するようにゴム、軟質塩ビなどの合成樹脂の被覆体１０６があるものを断面で示している。１−Ｃでは、ゴム、軟質塩ビなどの屈曲が容易な合成樹脂で電線端絶縁カバー１００が出来ていて、電線被覆噛合部１０４のみ硬性の素材、例えば、金属、硬性合成樹脂で作られているものを示している。開口部１０２から電線１１０が挿入されている。１−Ｄは、１−Ｃの断面である。尚、カバー部１０１に挿入された電線は電気絶縁を確保するために、電線被覆の先端から開口部１０２までの絶縁沿面距離を取ることが必要である。例えば、１−Ｂ、１−Ｄで、電線被覆噛合部１０４が絶縁体で出来ている場合は、電線又は電気ケーブルの被覆部先端から開口部１０２までが絶縁沿面距離となるが、電線被覆噛合部１０４が金属のような導体で出来ている場合は、電気ケーブルの被覆を突き抜けて電気ケーブル導体と電線被覆噛合部１０４が導通している可能性があるので、電線被覆噛合部１０４と開口部１０２までが感電防止の絶縁沿面距離となる。従って、この場合は、この開口部までの長さを十分にとる必要がある。尚、図１全体の例では、電線又は電気ケーブルの被覆部先端の挿入状態が電線端絶縁カバーの外側から視認できることが望ましいので、電線端絶縁カバーは透明であることが好ましい。又、挿入位置の確認のため、電線端絶縁カバーの適当な位置に視認マーカーを付けることも好ましい。例えば、視認マーカーより奥に被覆部先端が挿入されていることが正しい挿入位置であるという確認に使用できる。
【００２６】
１−Ｅにおいて、図１の電線端絶縁カバーを電気ケーブルの各電線に付設した状況を示している。電線端絶縁カバーは電線を挿入して押しつぶすなどで簡単に取り付けられ、各々の間の絶縁、感電を防止できる。１−Ｆにおいて、電線端絶縁カバー１００は、この例では３芯の電線１１０に被せるためのものであって、被せた状態も示している。電線や電気ケーブルの外形形状に略合わせた電線端絶縁カバーの内側形状を有している。フラット形３芯電線にあわせ、横長の形状の電線端絶縁カバーとなっている。
【００２７】
１−Ａから１−Ｆは、電線や電気ケーブルに固定するには電線端絶縁カバー１００をつぶす形態のものであったが、１−Ｇにおいて、電線端絶縁カバー１００は、力を加えない状態への復元する弾性部１０７により開口部１０２側が閉じるために電線や電気ケーブルに噛み付くようになっているものである。弾性部１０７としては、コイルバネ、板バネが利用でき、バネ素材としては金属、プラスチックが使用できる。左、中央、右に３例をしめすが、弾性部１０７が示されている。電線や電気ケーブルに取り付けるために開口部１０２側を広げるには、右側のものでは、取っ手１０８に指をかけ、広げる。指を離すと閉じて取り付けられる。中央のものでは、取っ手１−８を押すことで、開口部１０２側が開くようになっている。左側のものは、洗濯バサミのように指で挟むはさみ部１０９があって、はさみ部１０９を圧縮すると開口部１０２側は逆に広がるようになっている。はさみ部１０９を放すと、はさみ部１０９に付いたコイルバネ、板バネ等の弾性部１０７の復元力により開口部が閉じる。弾性部１０７は、図では、両方示されているが、片方でよい。又、電線端絶縁カバー１００の本体側に付いた弾性部１０７は、電線端絶縁カバー１００に付設されたものでも、同一体の形態でも可能である。
【００２８】
図６は、図１の電線端絶縁カバーを電線又電気ケーブルに付設し押しつぶすためのはさみ治具の図である。はさみ６０１は、この例では、はさみ面６０２を複数持っていて、径の異なる電線又電気ケーブルに対応できる。ハンドル６０４を押すと、回転支点６０３を中心にはさみ６０１が動き、はさみ面６０２で、電線端絶縁カバーを押しつぶすことが出来る。はさみ面６０２は単数でよい。又平面でなく、曲面でもよい。又、対抗する２面以外に３面や４面も可能である。
【００２９】
図２は、図１の電線端絶縁カバーの保持状態の例と発展形態を示す図である。
２−Ａでは、複数個の電線端絶縁カバー１００をカプセルまたは袋２０１で閉じたものを示す。持ち運びが容易で便利になる。２−Ｂでは、電線端絶縁カバー１００の貼り付け用テープ２０２を備えたものである。２−Ｃでは、２−Ｂの状態から、貼り付けテープ２０２の剥離紙をはがし、電線２０３を挿入し、電線被覆噛合部１０４で固定した後、貼り付けテープ２０２を巻きつけたものである。貼り付けテープ２０２が予め備えられているので、簡単に付設することが出来る。
【００３０】
図３は、本発明にかかる電線端絶縁カバーの別の一実施態様を示す図である。図１は、各電線をここにカバーし電線被覆噛合部１０４で固定するものであったが、図３は、各電線間を収納する収納筒部を電線の数以上の個数だけ有する電気絶縁性の電線受具３０１と、電気ケーブル又は電線を押え、電線受具と噛み合ってカバーする電気絶縁性の覆い具３０２を有する。電線受具の収納筒は、開口部以外は閉じた構成で電気絶縁の沿面距離が確保されている。以下、図を用い具体的に説明する。電線受具３０１は、電気絶縁性の素材、例えば、ゴム、ポリエチレンなどの合成樹脂で形成できる。電線受具３０１には、先端に導体がでた被覆電線を挿入する収納筒部３０３があり、開口部３０４から挿入するようになっている。開口部３０４の反対側は、閉じられた空間になっていて、奥行きは、沿面距離を確保するようになっている。この例では、４本の電線まで対応できるように収納筒部３０３が４個存在する。電線の先端の長さが揃ってないと挿入が容易でない場合に、多少の先端の不揃いに対応出来るように、収納筒部３０３には、開口部３０４の穴の外側側面に切欠部３０５を有している。又、覆い具３０２と噛み合って、これを固定する覆い受具３０６が付いている。固定の手段として、ネジ嵌合が一般的である。又、覆い受具３０６には、水の浸入を防止するゴム等のパッキンを持つことも可能である。
覆い具３０２は、覆い受具３０６に結合する結合部３０７と、電線又は電気ケーブルを固定する固定部３０８を有し、固定部３０８には、電線又は電気ケーブルの各種のサイズに対応するように、各種の内径の異径調節具３０９があることが好都合である。
【００３１】
図４は、図３の電線端絶縁カバーに電気ケーブルを装着した状態を示す図である。この図では、未だ覆い具３０２と電線受具３０１は、離れている状態である。収納筒部３０３内に、電線４０１が収納され、各電線間は、収納筒部３０３の絶縁体の壁で隔離され、各電線の導体間は、沿面距離も十分にあるので、電線ごとにカバーをすることを省くことが出来る。
【産業上の利用可能性】
【００３２】
以上のような電線端絶縁カバーは、図１のものでは、簡単な構成でありながら、電線の各々に付設して絶縁でき、図３のものでは、電線の各々を裸のままでもカバーでき取り付け等が容易であるので産業上利用性が極めて大きい。
【図面の簡単な説明】
【００３３】
【図１】本発明にかかる電線端絶縁カバーの一実施態様を示す図である。
【図２】図１の電線端絶縁カバーの保持状態の例と発展形態を示す図である。
【図３】本発明にかかる電線端絶縁カバーの別の一実施態様を示す図である。
【図４】図３の電線端絶縁カバーに電気ケーブルを装着した状態を示す図である。
【図５】従来の電線端末用のカバーの例を示す図である。
【図６】図１の電線端絶縁カバーを電線又電気ケーブルに付設し押しつぶすためのはさみ治具の図である。
【図７】絶縁電線と電気ケーブルの例を示す図である。
【符号の説明】
【００３４】
１    カバー
３    折まくられた部分
４    導体
３７  リブ
５０１  ハーネス
１００  電線端絶縁カバー
１０１  カバー部
１０２、３０４  開口部
１０３  開口先端部
１０４  電線被覆噛合部
１０５  芯部
１０６  被覆体
１０７  弾性部
１０８  取っ手
１０９  はさみ部
１１０、２０３、４０１  電線
２０１  袋
２０２  貼り付け用テープ
３０１  電線受具
３０２  覆い具
３０３  収納筒部
３０５  切欠部
３０６  覆い受具
３０７  結合部
３０８  固定部
３０９  異径調節具
６０１  はさみ
６０２  はさみ面
６０３  回転支点
６０４  ハンドル
【図１】
2010027254.tif 000003
【図２】
2010027254.tif 000004
【図３】
2010027254.tif 000005
【図４】
2010027254.tif 000006
【図７】
2010027254.tif 000007
【図５】
2010027254.tif 000008
【図６】
2010027254.tif 000009